(57)【要約】【課題】被測定物の表面をなぞる場合のすべり覚と被測定物に継続的に押し当てた感圧を同時に検出する。【解決手段】フレキシブルプリント基板等の基板３上に感圧素子用センサ電極４ａ，４ｂを配置し、その感圧素子用センサ電極４ａ，４ｂに対向して柔軟性を有する感圧素子１及び圧電素子２を積層構造で配置することにより、被測定物Ｗの表面をなぞる場合のすべり覚と被測定物Ｗに継続的に押し当てた感圧を同時に検出することが可能なセンサＳ１を実現する。また、感圧素子用センサ電極を基板３上に複数配置して感圧検出部の分解能を高める。【選択図】図１
2006010407.tif 000002
【特許請求の範囲】
【請求項１】
基板上に配置された感圧素子用センサ電極と、柔軟性を有する感圧素子及び圧電素子とを備え、前記感圧素子用センサ電極に対向して前記感圧素子及び圧電素子が積層構造で配置されていることを特徴とするすべり覚検出センサ。
【請求項２】
前記感圧素子用センサ電極が前記基板上に複数配置されていることを特徴とする請求項１記載のすべり覚検出センサ。
【請求項３】
前記基板上に単一の感圧素子用センサ電極が配置されているとともに、前記圧電素子の圧電素子用センサ電極が前記感圧素子に接触した状態で配置されており、その圧電素子用センサ電極が感圧素子用センサ電極を共用する構造となっていることを特徴とする請求項１記載のすべり覚検出センサ。
【請求項４】
前記基板上に複数の感圧素子用センサ電極が配置されているとともに、前記圧電素子の圧電素子用センサ電極が前記感圧素子に接触した状態で配置されており、その圧電素子用センサ電極が感圧素子用センサ電極を共用する構造となっていることを特徴とする請求項１記載のすべり覚検出センサ。
【請求項５】
前記感圧素子に接触する圧電素子用センサ電極が複数配置されていることを特徴とする請求項３記載のすべり覚検出センサ。
【請求項６】
前記感圧素子用センサ電極と圧電素子用センサ電極とがマトリクス状に配置されていることを特徴とする請求項１〜５のいずれかに記載のすべり覚検出センサ。
【発明の詳細な説明】
【技術分野】
【０００１】
本発明は、被測定物に押し当てたときの感圧検出とすべり覚とを検出するすべり覚検出センサに関する。
【背景技術】
【０００２】
従来、被測定部の表面状態を検出する場合、圧電セラミックスや高分子圧電フィルム等の圧電素子を用いて被測定物の表面上をなぞり、圧電素子の一対の電極から信号を取出すことにより、すべり覚の検出を行っている（例えば、特許文献１参照。）。その触覚検出センサの一例を図１４に示す。
【０００３】
図１４の触覚検出センサでは、圧電素子２００の両端に電極２０１，２０２を配置し、表面状態を検出する側の電極２０１に接触子２０３を配置している。このようなセンサを用いて被測定物の表面上をなぞる動作、つまり水平方向（Ｘ方向）に移動させる動作を行うと、電極２０１、２０２間には被測定物の表面状態に応じて図９に示すような波形の電圧が出力される。
【０００４】
また、圧電素子の特性として、センサを被測定物の表面に対して、垂直方向（Ｚ方向）に押し当てた場合、押し当てた瞬間のみ、インパルス波形として、電極間から電圧が出力される。これは、圧電素子の物理的変形に伴い、微分型の電圧を出力するためである。
【０００５】
以上のことから、圧電素子単体では、被測定物をなぞる場合のすべり覚検出は可能となるが、継続的な感圧検出を行うことができない。
【０００６】
また、他の例として、図１５に示すように、基板上２１０に振動子２１１、絶縁シート２１４、圧電素子２１２及び保護シート２１３をこの順で積層配置することにより、すべり覚と感圧を検出する触覚センサがある（例えば、特許文献２参照。）。
【０００７】
その動作原理を説明すると、まず、振動子２１１用の電極２１５ａ，２１５ｂに既知の一定周波数の電圧を常時印加した状態で、圧電素子２１２にて振動子２１１からの伝達振動を検出する。このとき、圧電素子２１２を水平方向（Ｘ方向）に移動させながら被測定物（図示せず）に押し当てると、伝達振動量が変化するので、この振動量を検出することにより感圧を検知することができる。一方、図中の垂直方向（Ｚ方向）において、圧電素子２１２で被測定物の表面をなぞると、表面状態に応じた出力を検出することができる。なお、伝達振動に対する感圧量と表面をなぞった場合のすべり量の出力電圧は、圧電素子２１２の両端の電極２１５ｃ，２１５ｄから、電圧が合成された状態で出力されるため、感圧量とすべり量を分離するには、バンドパスフィルタ回路などを用いて分離する必要がある。
【特許文献１】特開平９−３８０８２号公報
【特許文献２】特開２００２−３１５７４号公報
【発明の開示】
【発明が解決しようとする課題】
【０００８】
ところで、触覚センサを圧電素子単体で構成した場合、前記したように、圧電素子の特性から被測定物に押し当てた瞬間または被測定物の表面をなぞる場合のすべり覚の検出は可能であるが、被測定物に継続的に押し当てた感圧を検出することが難しい。
【０００９】
また、振動子と圧電素子を積層構造にしてすべり覚と感圧を検出する場合、前記したように、圧電素子の両端の電極から、すべり覚と感圧の両方の出力が合成されて出力されるため、回路上ですべり覚と感圧を分離する必要があって回路構成が複雑になる。これに伴って、センサ用回路も複雑になり回路の小型化が難しくなる結果、コストアップの要因となる。
【００１０】
また、感圧センサとしての分解能を向上させるには、小型の圧電素子を多数配置する必要があるが、圧電素子に圧電セラミックス等を用いた場合、単位面積当りの出力感度は比較的大きいが、小型化のための製造加工が難しくなる。一方、圧電素子に高分子圧電フィルムを用いた場合、圧電セラミックスに比べて加工は容易となるが、出力感度は圧電セラミックスに比べて１〜２桁劣り、感圧センサの分解能の向上に対して弊害となる。
【００１１】
本発明はそのような実情に鑑みてなされたものであり、被測定物の表面をなぞる場合のすべり覚と被測定物に継続的に押し当てた感圧を同時に検出することが可能であり、しかも、すべり覚と感圧の双方を簡単な回路構成のもとに精度よく検出することが可能なすべり覚検出センサの提供を目的とする。
【課題を解決するための手段】
【００１２】
本発明のすべり覚検出センサは、基板上に配置された感圧素子用センサ電極と、柔軟性を有する感圧素子及び圧電素子とを備え、前記感圧素子用センサ電極に対向して前記感圧素子及び圧電素子が積層構造で配置されていることによって特徴づけられる。
【００１３】
このように、感圧素子用センサ電極上に、柔軟性を有する感圧素子と圧電素子を積層構造で配置することにより、被測定物の表面をなぞる場合のすべり覚と被測定物に継続的に押し当てた感圧を同時に検出することが可能になる。また、感圧素子を用いているので感圧検出部の回路構成の簡素化とコストダウンを図ることができる。
【００１４】
本発明のすべり覚検出センサにおいて、感圧素子用センサ電極を基板上に複数配置しておくと、感圧検出部の分解能を容易に向上させることができる。また、分解能向上に伴う製造工程についても単純に感圧素子用センサ電極を追加するだけでよいので、製造工程を複雑にすることなく分解能の向上を容易に実現できる。
【００１５】
本発明のすべり覚検出センサにおいて、基板上に単一の感圧素子用センサ電極を配置するとともに、圧電素子用センサ電極を感圧素子に接触した状態で配置して、圧電素子用センサ電極が感圧素子用センサ電極を共用する構造としてもよい。このような構造を採用すると、センサ用電極の数を削減でき、センサ構造をより単純化することができる。この場合、感圧素子に接触する圧電素子用センサ電極を複数配置しておくと、感圧検出部の分解能をより一層向上させることができる。
【００１６】
また、基板上に複数の感圧素子用センサ電極を配置するとともに、圧電素子用センサ電極を感圧素子に接触した状態で配置して、圧電素子用センサ電極が感圧素子用センサ電極を共用するという構造を採用すれば、センサ用電極の数を削減でき、センサ構造の単純化を図りながら、感圧検出部の分解能を向上させることができる。
【００１７】
本発明のすべり覚検出センサにおいて、感圧素子用センサ電極と圧電素子用センサ電極とをマトリクス状に配置しておくと、マトリクス型の特徴から感圧検出部の分解能を向上させることができる。
【発明の効果】
【００１８】
本発明のすべり覚検出センサによれば、感圧素子用センサ電極上に、柔軟性を有する感圧素子と圧電素子を積層構造で配置しているので、被測定物の表面をなぞる場合のすべり覚と被測定物に継続的に押し当てた感圧を同時に検出することが可能になる。また、感圧素子を用いているので、感圧検出部の回路構成の簡素化とコストダウンを図ることができる。さらに、フレキシブルプリント基板上に柔軟性を有する感圧素子と圧電素子を用いた構造とすることが可能であるので、曲面へのセンサ配置も容易に行うことができる。
【発明を実施するための最良の形態】
【００１９】
以下、本発明の実施形態を図面に基づいて説明する。
【００２０】
＜実施例１＞
図１は、本発明のすべり覚検出センサの一例を模式的に示す断面図である。
【００２１】
この例のすべり覚検出センサＳ１は、感圧素子１、圧電素子２、基板３、一対の感圧素子用センサ電極４ａ，４ｂ、一対の中継電極５ｂ、５ａ、一対の圧電素子用センサ電極７ａ、７ｂ及び絶縁シート６などを備えている。なお、基板３としては、例えばフレキシブルプリント基板を用いる。
【００２２】
基板３には凹部３ａが形成されており、この凹部３ａ内に一対の感圧素子用センサ電極４ａ，４ｂが配置されている。感圧素子１は、基板３上の感圧素子用センサ電極４ａ，４ｂ上（図１では下方）に所定の間隔をあけて対向した状態で配置されており、この感圧素子１上に絶縁シート６及び圧電素子２が積層構造で配置されている。
【００２３】
ここで、感圧検出部を構成する感圧素子１と感圧素子用センサ電極４ａ，４ｂの配置に関して説明すると、それら感圧素子用センサ電極４ａ，４ｂは、基板３の絶縁層が形成されていない凹部３ａに配置され、感圧素子１に圧力が加わらない初期状態では、感圧素子１との間にわずかな隙間が形成されるように配置されている。
【００２４】
また、すべり覚検出部を構成する圧電素子２の配置については、圧電素子２の両面に各々配置された圧電素子用センサ電極７ａ、７ｂを基板３上に配線するため、各々の中継電極５ｂ、５ａを用いて接続する。ここで使用する中継電極５ａ、５ｂは、センサユニット全体に柔軟性をもたせるため、その配置構造によって基板３と圧電素子２との間にわずかに段差が発生する場合があることを考慮して、バネ構造の金属電極や導電性ゴム等を使用する。
【００２５】
なお、この例で使用する感圧素子１は柔軟構造のもので、代表例としては、感圧ゴムのように、センサ素子部分に圧力を加えて押し当てると抵抗値が変化するものを挙げることができる。また、圧電素子２については、圧電素子の表面に圧力を加えると圧電素子の表面上に配置された電極から圧力に応じた微分型の出力で電圧を発生する圧電セラミックスや高分子圧電フィルム等を挙げることができる。これらのうち、高分子圧電フィルムは柔軟であり、また、加工が容易であるので好適である。
【００２６】
次に、検出動作原理について説明する。なお、以下の例では凹凸のある被測定物Ｗの表面をなぞる場合のすべり覚検出と、被測定物Ｗに押し当てた場合の感圧検出について説明を行う。
【００２７】
−すべり覚検出−
すべり覚検出を行う場合、すべり覚検出センサＳ１を、被測定物Ｗの表面に押し当てた状態で図１のＸ方向にすべらす。このようにすると、圧電素子２の両端の中継電極５ａ、５ｂ（圧電素子用センサ電極７ａ、７ｂ）から被測定物Ｗの表面状態に応じた出力電圧波形、例えば図９に示すような出力電圧波形Ｅが発生する。
【００２８】
ここで、すべり覚検出センサＳ１を被測定物Ｗに単に押し当てただけでは、図９に示すような出力電圧波形Ｅは出力されず、押し当てた瞬間のみにインパルスの出力波形が発生する。これは、圧電素子は微分型の出力素子であるため、同じ圧力を継続して検出できないためである。このことから、すべり覚検出センサＳ１を押し当てたときに、被測定物Ｗがすべっているかどうかを判断することができる。その応用例としては、ロボットハンドで物体を把持しているときに把持力が弱いと、ハンドで把持している物体がすべり落ち始めるという現象が生じることがあり、その現象を検出することが可能となる。
【００２９】
また、すべり覚検出センサＳ１をＸ方向に一定速度で移動させたとき、図９に示す出力電圧波形Ｅに、ある範囲内の周波数成分が発生するので、その周波数成分を分析することにより、被測定物Ｗの表面状態を推測することが可能となる。すなわち、金属面等は、表面の凹凸が小さくて均一なため、出力電圧波形の周波数成分が高くなるのに対し、木目等では、表面状態が荒くて凹凸が大きいため、周波数成分が低くて大きな出力電圧波形となる。従って、出力電圧波形Ｅを分析することにより表面状態を推測・検出することができる。
【００３０】
なお、すべり覚検出センサＳ１を被測定物Ｗに対してＸ方向にすべらしたときのほか、図１のＺ方向においてすべり覚検出センサＳ１を被測定物Ｗに押し当てた瞬間もインパルスの出力波形が検出されるが、この例では、後述する感圧素子１による感圧検出も同時に行うことができるので、感圧検出の値を併用することにより、圧電素子２から出力された出力電圧波形が、すべり覚検出センサＳ１を被測定物Ｗに押し当てた瞬間の出力電圧波形であるのか、被測定物Ｗの表面をすべらせた時の出力電圧波形であるのかを容易に区別することができる。
【００３１】
−感圧検出について−
感圧検出を行う場合、すべり覚検出センサＳ１を被測定物Ｗの表面に押し当て、図１のＺ方向に圧力を加えると、圧電素子２を通じて感圧素子１に圧力が加わり、感圧素子１が感圧素子用センサ電極４ａ、４ｂに接触する。このとき、感圧素子１として感圧ゴムを使用すると、感圧素子１への圧力に応じて抵抗値が変化する。従って、感圧素子用センサ電極４ａ，４ｂ間の抵抗値を測定することにより、すべり覚検出センサＳ１を被測定物Ｗに押し当てたときの感圧を検出することができる。
【００３２】
以上のことから、図１に示す構造のすべり覚検出センサＳ１を用いることにより、被測定物Ｗの表面をなぞる場合のすべり覚と、被測定物Ｗに継続的に押し当てた感圧とを同時に検出することが可能になる。
【００３３】
また、図１５に示した構造のように、振動子と圧電素子を用いて感圧を検出する場合、検出回路としてバンドパスフィルタ等を用いてすべり覚と感圧を分離する必要があって回路が複雑になるが、この例のすべり覚検出センサＳ１の場合、すべり覚に関しては、圧電素子１の出力電圧をそのまま利用することができる。また、感圧検出についても、感圧素子用センサ電極４ａ、４ｂ間の抵抗値を測定するだけでよいので、検出回路の簡略化とコストダウンを図ることができる。
【００３４】
ここで、図１のすべり覚検出センサＳ１において、基板３としてフレキシブルプリント基板を用い、また、圧電素子２に高分子圧電フィルムを用いることにより、センサ検出部が柔軟構造となるので、すべり覚検出センサＳ１を、ロボットハンドの指などの曲面ができる場所にも容易に設置することが可能となる。
【００３５】
＜実施例２＞
図２は本発明のすべり覚検出センサの他の例を模式的に示す断面図である。
【００３６】
この例のすべり覚検出センサＳ２は、図１の構造において、一対の感圧素子用センサ電極４ａ，４ｂに替えて、複数の感圧素子用センサ電極１４ａ〜１４ｆを基板３上に配置した点に特徴がある。それ以外の構造は、図１のすべり覚検出センサＳ１と同じである。
【００３７】
この例において、すべり覚検出は、前記した＜実施例１＞と同じ動作原理で検出することができる。
【００３８】
一方、感圧検出については、複数の感圧素子用センサ電極１４ａ〜１４ｆの各電極間の抵抗値を測定することにより検出する。具体的には、複数配置された感圧素子用センサ電極１４ａ〜１４ｆのうち、互いに隣合う２つのセンサ電極１４ａと１４ｂ、センサ電極１４ｂと１４ｃ、センサ電極１４ｃと１４ｄ、センサ電極１４ｄと１４ｅ、センサ電極１４ｅと１４ｆ、というような順番で、順次信号を回路上で切替えて各々電極間の抵抗値を測定することにより、各感圧素子用センサ電極１４ａ〜１４ｆに対する個別の感圧を検出することができる。
【００３９】
ここで、圧電素子を用いた感圧検出センサでは、通常、感圧検出部の分解能を向上させようとすると、圧電素子の小型化が要求されるが、圧電素子として圧電セラミックスを用いた場合、検出感度は比較的高いが微細加工が難しい。また、圧電素子として高分子圧電フィルムを用いた場合、加工は行い易いが、圧電セラミックスと比較して一般に出力感度が低く、小型化するとノイズ成分が大きくなり、分解能向上に課題が発生する。
【００４０】
これに対し、図２に示すような構造を採用すると、すべり覚検出用圧電素子の形状は、感圧検出部の分解能を向上させるにあたり小型化する必要がなく、感圧素子用センサ電極の電極数を増加することにより、感圧検出部の分解能を向上させることができる。
【００４１】
＜実施例３＞
図３は本発明のすべり覚検出センサの別の例を模式的に示す断面図である。
【００４２】
この例のすべり覚検出センサＳ３は、図１の構造において、感圧素子用センサ電極４ａ，４ｂに替えて、単一の感圧素子用センサ電極１４を配置した点、及び、図１の絶縁シート６を削除し、圧電素子２を感圧素子１に密着させるとともに、圧電素子用センサ電極７ａを感圧素子用センサ電極として共用させる点に特徴がある。それ以外の構造は、図１のすべり覚検出センサＳ１と同じである。
【００４３】
この例において、すべり覚検出は圧電素子用センサ電極７ａ，７ｂを用いて検出することができる。一方、感圧検出については、感圧素子用センサ電極１４と圧電素子用センサ電極７ａ（感圧素子用センサ電極との共用電極）とを用いて検出することが可能であるので、前記した＜実施例１＞と比べてセンサ電極数と絶縁シート６を削減することができ、センサ構造の単純化と小型化を実現することができる。
【００４４】
＜実施例４＞
図４は本発明のすべり覚検出センサの別の例を模式的に示す断面図である。
【００４５】
この例のすべり覚検出センサＳ４は、図３の構造において、単一の感圧素子用センサ電極１４に替えて、複数の感圧素子用センサ電極１４ａ〜１４ｆを基板３上に配置した点に特徴がある。それ以外の構造は、図３のすべり覚検出センサＳ３と同じである。
【００４６】
この例において、すべり覚検出は、前記した＜実施例３＞と同様に圧電素子用センサ電極７ａ，７ｂを用いて検出することができる。
【００４７】
一方、感圧検出については、複数の感圧素子用センサ電極１４ａ〜１４ｆと圧電素子用センサ電極７ａ（感圧素子用センサ電極との共用電極）との各電極間の抵抗値を測定することにより検出する。具体的には、複数配置された感圧素子用センサ電極１４ａ〜１４ｆと圧電素子用センサ電極７ａとの間において、感圧素子用センサ電極１４ａと圧電素子用センサ電極７ａ、感圧素子用センサ電極１４ｂと圧電素子用センサ電極７ａ、・・・、感圧素子用センサ電極１４ｆと圧電素子用センサ電極７ａ、というような順番で、順次信号を回路上で切替えて各々の電極間の抵抗値を測定することにより感圧を検出することができる。
【００４８】
ここで、図４に示す構造と前記した＜実施例２＞とが異なる点は、＜実施例２＞では、感圧素子用センサ電極１４ａ〜１４ｆの各電極間で感圧検出を行っているが、図４に示す構造では、感圧素子用センサ電極１４ａ〜１４ｆと圧電素子用センサ電極７ａの電極間で感圧検出を行う点である。そして、前記した＜実施例２＞の場合、同一平面上（水平方向）に配置した感圧素子用センサ電極１４ａ〜１４ｆ間において、水平方向の各位置の電極間の抵抗値を検出しているので、電極間のピッチを細かくすると感圧素子で検出される抵抗値の変化量が小さくなり、細かい感圧変化を捕らえにくくなる。これに対し、図４に示す構造では、圧電素子用センサ電極７ａを共用電極としているので、感圧素子用センサ電極が垂直方向に配置された構造となることから、基板３上の感圧素子用センサ電極１４ａ〜１４ｆの各電極間のピッチを細かくしても、感圧素子１で検出される抵抗値の変化量が変らない。
【００４９】
以上のことから、図４の構造を採用することにより、前記した＜実施例３＞の効果を維持しながら、感圧検出部の分解能を更に向上させることができる。
【００５０】
＜実施例５＞
図５は本発明のすべり覚検出センサの別の例を模式的に示す断面図である。
【００５１】
この例のすべり覚検出センサＳ５は、図３の構造において、圧電素子用センサ電極７ａに替えて、複数の圧電素子用センサ電極１７ａ〜１７ｅを配置し、それら複数の圧電素子用センサ電極１７ａ〜１７ｅを感圧素子用センサ電極として共用させる点に特徴がある。それ以外の構造は、図３のすべり覚検出センサＳ３と同じである。
【００５２】
前記した＜実施例４＞では、基板３上に複数の感圧素子用センサ電極１４ａ〜１４ｆを配置しているのに対し、この例では、圧電素子２側に複数の感圧素子用センサ電極１７ａ〜１７ｅを配置したものであり、基本的な動作原理及び効果は＜実施例４＞と同等であるが、すべり覚検出を行う場合、感圧素子用センサ電極７ｂと感圧素子用センサ電極１７ａ〜１７ｅとの各電極間で行うため、圧電素子２の出力電圧がすべり覚検出に必要な出力が十分得られる大きさの場合、圧電素子部の分解能を向上させることができる。なお、分割によりすべり覚検出が十分に行われない場合は、分割した各信号を合成し、１つのすべり覚検出部として取り扱うことにより、十分な出力を得ることができる。
【００５３】
＜実施例６＞
図６は本発明のすべり覚検出センサの別の例を模式的に示す断面図である。
【００５４】
この例のすべり覚検出センサＳ６は、図４の構造において、複数の感圧素子用センサ電極２４ａ〜２４ｆと複数の圧電素子用センサ電極２７ａ〜２７ｅとをマトリクス状に配置している点に特徴がある。
【００５５】
ここで、感圧検出部については、基板３上に感圧素子用センサ電極２４ａ〜２４ｆをＸラインに複数配置し、また、感圧素子１を挟んで圧電素子２側に圧電素子用センサ電極２７ａ〜２７ｅをＹラインに複数配置した構造をとる。感圧検出動作としては、Ｘラインの複数の感圧素子用センサ電極２４ａ〜２４ｆのうちの１つ電極、例えば感圧素子用センサ電極２４ａに電圧を印加した状態で、感圧素子用センサ電極２４ａのライン上に圧力が加わると、感圧素子用センサ電極２４ａが感圧素子１を介して圧電素子用センサ電極２７ａ〜２７ｅの電極上に接触する。このとき、各部に加えられた圧力に応じて感圧素子１の抵抗値が変化するため、圧電素子用センサ電極２７ａ〜２７ｅの各々の電圧を測定することによりＹラインの感圧を検出することができる。上記と同様に他の感圧素子用センサ電極２４ｂ〜２４ｆについても各々電圧を印加して、圧電素子用センサ電極２７ａ〜２７ｅの各部の電圧を測定すれば、センサ全体の感圧分布を検出することができる。
【００５６】
また、すべり覚検出については、前記した＜実施例５＞と同様に、感圧素子用センサ電極７ｂと圧電素子用センサ電極２７ａ〜２７ｅとの各電極間で行うことにより、すべり覚を検出することができる。
【００５７】
この例のすべり覚検出センサＳ６によれば、マトリクス型電極の特徴から、感圧検出部の分解能を更に向上させることができる。
【００５８】
＜実施例７＞
図７及び図８は、本発明のすべり覚検出センサの別の例を模式的に示す図である。
【００５９】
この例のすべり覚検出センサＳ７は、複数のすべり覚・感圧検出部（例えば、実施例１〜実施例６のすべり覚検出センサＳ１，Ｓ２，Ｓ３，Ｓ４，Ｓ５またはＳ６のすべり覚・感圧検出部（感圧素子１及び圧電素子２等））をマトリクス状に配置した構造に特徴がある。以下、この例のすべり覚検出センサＳ７の応用例を図７及び図８を参照しながら説明する。
【００６０】
図７に示す例は、すべり覚検出センサＳ７上に複数のすべり覚・感圧検出部１０ａ１〜１０ｅ５をマトリクス状に配置したもので、すべり覚検出センサＳ７が被測定物におけるコーナー部等の線形エッジ部分Ｗｅに接触した場合の例である。
【００６１】
図７において、線形エッジ部分Ｗｅに強く接触する部分つまりすべり覚・感圧検出部１０ａ１，１０ｂ２，１０ｃ３，１０ｄ４，１０ｅ５では、強い感圧を検出するが、他の部分では、ほとんど感圧を検出しない。この結果から、線形エッジ部分Ｗｅの表面状態は、すべり覚検出センサＳ７に対して約４５度の角度でコーナー部に接触していることが容易に分かる。
【００６２】
また、他の応用として、コーナー部等の線形エッジ部分Ｗｅではなく、ロボットハンドにてワイヤ等を把持していると想定した場合、同様の感圧検出結果が得られる。しかしながら、ロボットハンドでの把持力が低い場合、感圧検出位置が変化しない状態でワイヤがすべりだす。ワイヤがすべりだすと、すべり覚検出部の圧電素子３によってすべり覚を検出することができる。このすべり覚を利用することにより、把持力を強めるなどのフィードバック制御を行うことが可能となる。
【００６３】
図８の例は、被測定物の平面からコーナー部等を検出した場合の例で、図８のようにすべり覚検出センサＳ７が被測定物表面のコーナー部Ｗｃの位置に移動したとき、被測定物Ｗの表面に強く接触する部分つまりすべり覚・感圧検出部１０ａ２〜１０ａ５，１０ｂ３〜１０ｂ５，１０ｃ４〜１０ｃ５，１０ｄ５では強い感圧を検出し、また、被測定物表面のコーナー部Ｗｃに接触する部分つまりすべり覚・感圧検出部１０ａ１，１０ｂ２，１０ｃ３，１０ｄ４，１０ｅ５において中程度の感圧を検出し、その他の部分では感圧を検出しない。この結果から、すべり覚検出センサＳ７が被測定物表面のコーナー部Ｗｃを検出したことが容易に分かる。
【００６４】
以上のように、本発明を利用することにより、被測定物の表面状態の検出やロボットハンドにより物体を把持する場合のセンサフィードバックへの応用が可能となる。
【００６５】
ここで、本発明のすべり覚検出センサＳ１〜Ｓ7は、具体的には、複数の指機構部で物体の把持を行うロボットハンドの指機構部や指先部等に用いることができる。この場合、把持物の表面状態を検出しながら動作を行うことができるので、適切な把持圧で物体を安定に把持することができる。
【００６６】
人の手と同様の構造を有するロボットハンドは、手のひらに相当するベースに複数の指機構部が装着され、その各指機構部は複数の関節部を介して複数のフレーム部を順次連結させて構成されている。そして、各関節部を作動させるアクチュエータが、適宜の箇所に設けられている。このようなロボットハンドは、複数の指機構部で物体の把持を行うだけでなく、本発明のすべり覚検出センサＳ１〜Ｓ７を搭載することで硬度・材質・形状・表面状態等の異なる多種多様な物体の把持を実現することができる。
【００６７】
図１０〜図１３は、ロボットハンドの一例を示しており、図１０はロボットハンドを手の甲側から見た平面図（上面図）、図１１は親指側から見た側面図、図１２は小指側から見た側面図、図１３は手のひら側から見た平面図（下面図）である。
【００６８】
ロボットハンドは、手のひらに相当するベース１０１と、ベース１０１に装着されている複数本（この例では人間の指と同じ５本）の指機構部１０２，１０３，１０４，１０５，１０６と、各指機構部１０２，１０３，１０４，１０５，１０６を駆動する駆動部とを備えている。駆動部は、アクチュエータとしての複数のモータと、各モータの駆動力を指機構部１０２，１０３，１０４，１０５，１０６に伝達する動力伝達部としてワイヤー（図示せず）とを備えている。
【００６９】
駆動部であるモータは、ベース１０１部分において３平面に納められている。第１の平面上に親指用指機構部１０２を駆動する親指用モータ１１２，１１３，１１４が配置されており、第２の平面上に人差指用指機構部１０３を駆動する人差指用モータ１１６，１１７，１１８と、薬指用指機構部１０４及び小指用指機構部１０５を駆動する薬指・小指用モータ１２１とが配置されている。また、第３平面上に、親指用指機構部１０２を手のひらと平行に駆動するモータ１１１と、人差指用指機構部１０３を手のひらと平行に駆動するモータ１１５とが配置されているとともに、中指用指機構部１０４を駆動する中指用モータ１１９，１２０が配置されている。
【００７０】
各指機構部１０２，１０３，１０４，１０５，１０６は、３つの関節部１２３，１２４，１２５と、この関節部１２３，１２４，１２５によって連結された２つのフレーム部１２６，１２７及び１つの指先部１２８とからなり、各関節部１２３，１２４，１２５はそれぞれ上記の対応するモータで駆動される。
【００７１】
このような構造のロボットハンドにおいて、本発明のすべり覚検出センサＳ１〜Ｓ７を各指機構部１０２，１０３，１０４，１０５，１０６のフレーム部１２６，１２７及び指先部１２８などに装着することで、硬度・材質・形状・表面状態などが異なる多種多様な物体のスムーズな把持が可能となる。
【産業上の利用可能性】
【００７２】
本発明のすべり覚検出センサは、被測定物の表面をなぞる場合のすべり覚と被測定物に継続的に押し当てた感圧を同時に検出することができるので、例えば、複数の指機構部で物体の把持を行うロボットハンドの指機構部や指先等に装着して使用することができる。
【図面の簡単な説明】
【００７３】
【図１】本発明のすべり覚検出センサの一例を模式的に示す断面図である。
【図２】本発明のすべり覚検出センサの他の例を模式的に示す断面図である。
【図３】本発明のすべり覚検出センサの別の例を模式的に示す断面図である。
【図４】本発明のすべり覚検出センサの別の例を模式的に示す断面図である。
【図５】本発明のすべり覚検出センサの別の例を模式的に示す断面図である。
【図６】本発明のすべり覚検出センサの別の例を模式的に示す断面図である。
【図７】本発明のすべり覚検出センサの別の例を模式的に示す図とその検出例を併記して示す図である。
【図８】図７のすべり覚検出センサによる他の検出例を示す図である。
【図９】すべり覚検出センサの出力電圧波形を示すグラフである。
【図１０】ロボットハンドを手の甲側から見た上面図である。
【図１１】ロボットハンドを親指側から見た側面図である。
【図１２】ロボットハンドを小指側から見た側面図である。
【図１３】ロボットハンドを手のひら側からみた下面図である。
【図１４】単体の圧電セラミック素子を用いた触覚センサの一例を模式的に示す断面図である。
【図１５】２枚の圧電セラミック素子を用いた触覚センサの一例を模式的に示す断面図である。
【符号の説明】
【００７４】
Ｓ１〜Ｓ６  すべり覚検出センサ
感圧素子１
圧電素子２
３  基板（フレキシブルプリント基板）
４ａ，４ｂ  感圧素子用センサ電極
５ａ，５ｂ  中継電極
６  絶縁シート
７ａ，７ｂ  圧電素子用センサ電極
１４  感圧素子用センサ電極
１４ａ〜１４ｆ  感圧素子用センサ電極
１７ａ〜１７ｆ  圧電素子用センサ電極
２４ａ〜２４ｆ  感圧素子用センサ電極
２７ａ〜２７ｆ  圧電素子用センサ電極
Ｓ７  すべり覚検出センサ
１０ａ１〜１０ｅ５  すべり覚・感圧検出部
Ｗ  被測定物
【図１】
2006010407.tif 000003
【図２】
2006010407.tif 000004
【図３】
2006010407.tif 000005
【図４】
2006010407.tif 000006
【図５】
2006010407.tif 000007
【図６】
2006010407.tif 000008
【図７】
2006010407.tif 000009
【図８】
2006010407.tif 000010
【図９】
2006010407.tif 000011
【図１０】
2006010407.tif 000012
【図１１】
2006010407.tif 000013
【図１２】
2006010407.tif 000014
【図１３】
2006010407.tif 000015
【図１４】
2006010407.tif 000016
【図１５】
2006010407.tif 000017